(57)【要約】【課題】木製軒梁を使用している建物においては、腕木に支持されている庇などの屋根材の先端が垂れて、建物の見栄えが悪くなると共に構造上も不安定になるなどの課題がある。【解決手段】屋外側面に腕木１０を固定した取付板１１を有する腕木本体４の取付板１１の屋内側面を木製軒梁３の屋外面に当接し、取付板１１の屋内側面に当接する押圧部材７を屋外方向へ移動可能とする張出し調整具８を設けた裏当板１３を有する裏当部材５の裏当板１３の屋外側面を木製軒梁３の屋内面側に当接して、腕木本体４と裏当部材５とを木製軒梁３を挟んで締付固定部材６によって締付固定している構造としたこと。【選択図】図１
2018009429.tif 000002
【特許請求の範囲】
【請求項１】
屋外側面に腕木を固定した取付板を有する腕木本体の前記取付板の屋内側面を木製軒梁の屋外面に当接し、
前記取付板の屋内側面に当接する押圧部材を屋外方向へ移動可能とする張出し調整具を設けた裏当板を有する裏当部材の前記裏当板の屋外側面を前記木製軒梁の屋内面側に当接して、
前記腕木本体と前記裏当部材とを前記木製軒梁を挟んで締付部材によって締付固定していることを特徴とする庇の垂れ抑制腕木の取付構造。
【請求項２】
前記張出し調整具は、前記押圧部材に形成した雄ねじ部と螺合する雌ねじ部を前記裏当板に設けたものであることを特徴とする請求項１に記載の庇の垂れ抑制腕木取付構造。
【請求項３】
前記締付固定部材は、前記取付板と前記裏当板に形成している通し穴及び前記木製軒梁に設けられている貫通孔に挿通するボルトと、該ボルトの前記裏当板から突出するねじ部に螺合するナットであることを特徴とする請求項１又は２に記載の庇の垂れ抑制腕木取付構造。
【請求項４】
前記裏当板の屋内側面に補強材を設けたことを特徴とする請求項１乃至３のいずれか１項に記載の庇の垂れ抑制腕木取付構造。
【請求項５】
木製軒梁の屋外側面に当接する取付板と、前記取付板の屋外側面に固定された腕木とを有する腕木本体と、
前記木製軒梁の屋内側面に当接する裏当板と、前記取付板の屋内側面に当接する押圧部材を屋外方向へ移動可能とする張出し調整具を設けた裏当部材と、
前記腕木本体と前記裏当部材とを前記木製軒板を挟んで締付固定する締付固定部材と、
を具備することを特徴とする庇の垂れ抑制腕木の取付金具。
【請求項６】
前記張出し調整具は、前記押圧部材に形成した雄ねじ部と螺合する雌ねじ部を前記裏当板に設け、前記裏当板より突出した位置に前記押圧部材を回転可能な係合部を設けたものであることを特徴とする請求項５に記載の庇の垂れ抑制腕木の取付金具。
【請求項７】
前記締付固定部材は、前記取付板と前記裏当板に形成している通し穴及び前記木製軒梁に設けられている貫通孔に挿通するボルトと、該ボルトの前記裏当板から突出するねじ部に螺合するナットであることを特徴とする請求項５又は請求項６に記載の庇の垂れ抑制腕木の取付金具。
【請求項８】
前記裏当板の屋内側面に補強材を設けたことを特徴とする請求項５乃至７のいずれか１項に記載の庇の垂れ抑制腕木の取付金具。
【発明の詳細な説明】
【技術分野】
【０００１】
この発明は、木製軒梁を有する建物の庇の垂れ抑制腕木の取付構造と、この取付構造に使用する庇の垂れ抑制腕木の取付金具に関し、特に、庇の垂れを調整できる張出し調整具を備えた取付構造と取付金具に関する。
【背景技術】
【０００２】
従来のこの種の庇の垂れ抑制腕木としては、軒梁と腕木が共に鋼製の場合には、例えば、特許文献１などに示されるような種々の発明が存在するが、軒梁が木製で腕木が鋼製の従来技術としては、特許文献２に示されるように、木製梁に腕木を支持する支持金物を取付ける構造が開示されている。この構造は、支持金物が木製梁の屋外側面に接触固定されるフランジとこのフランジに固定されている腕木の根元が差し込まれる差込部とを備えた構造となっている。そして、フランジに設けられている釘穴からねじ釘をねじ込んで、腕木を差込部に差し込むことで木製梁に取付固定している。
【先行技術文献】
【特許文献】
【０００３】
【特許文献１】特開２０１４−８４６５９号公報
【特許文献２】特開２０１１−１１７２１９号公報
【発明の概要】
【発明が解決しようとする課題】
【０００４】
しかしながら、上記の従来技術においては、年月の経過に伴い、腕木に掛る屋根材あるいはベランダ部材などの荷重によって、フランジの背面が当接している木製梁側面への大きな圧力が働き、梁側面へのめり込みや木痩せが促進し易く、とくに荷重が多く掛るフランジの下方が木製梁の方向へ傾き、その結果として、腕木に支持されている庇などの屋根材の先端が垂れ、建物の見栄えが悪くなると共に構造上も不安定になるなどの問題点がある。
【０００５】
このような問題点を解決するために、腕木の根元を支持固定している支持金物の下方と建物の柱などの躯体物との間にスティフナーを設けて支持金物のフランジに掛る荷重を分散させることによって、めり込みや木痩せを防止する方策が取られている。しかしながら、スティフナーを設けると外壁と干渉するために、外壁にスティフナーを通す開口部を形成する必要が生じ施工に手間が掛るという問題点がある。さらに、見栄えを良くするために開口部とスティフナーの隙間を塞ぐためのシーリング処理が必要となる問題点がある。
【０００６】
そこで、この発明は上記問題点を解消して、年月の経過によっても庇などの屋根部材の垂れ下りを調整可能にして、常時、建物の見栄えの良い状態を維持することを目的としてなされたものである。
【課題を解決するための手段】
【０００７】
この発明の庇の垂れ抑制腕木構造は、屋外側面に腕木を固定した取付板を有する腕木本体の前記取付板の屋内側面を木製軒梁の屋外面に当接し、前記取付板の屋内側面に当接する押圧部材を屋外方向へ移動可能とする張出し調整具を設けた裏当板を有する裏当部材の前記裏当板の屋外側面を前記木製軒梁の屋内面側に当接して、前記腕木本体と前記裏当部材とを前記木製軒梁を挟んで締付固定部材によって締付固定している構造としたことにある。
【０００８】
前記張り出し調整具は、前記押圧部材に形成した雄ねじ部と螺合する雌ねじ部を前記裏当板に設けたものであることを特徴とするものである。
【０００９】
又、前記締付固定部材は、前記取付板と前記裏当板に形成している通し穴及び前記木製軒梁に設けられている貫通孔に挿通するボルトと、該ボルトの前記裏当板から突出するねじ部に螺合するナットであることにある。
【００１０】
さらに、前記裏当板の屋内側面に補強材を設けたことにある。
【００１１】
前記庇の垂れ抑制腕木金具は、木製軒梁の屋外側面に当接する取付板と、前記取付板の屋外側面に固定された腕木とを有する腕木本体と、前記木製軒梁の屋内側面に当接する裏当板と、前記取付板の屋内側面に当接する押圧部材を屋外方向へ移動可能とする張出し調整具を設けた裏当部材と、前記腕木本体と前記裏当部材とを前記木製軒板を挟んで締付固定する締付固定部材と、を具備することにある。又、前記張出し調整具は、前記押圧部材に形成した雄ねじ部と螺合する雌ねじ部を前記裏当板に設け、前記裏当板より突出した位置に前記押圧部材を回転可能な係合部を設けたものであることにある。更に、前記締付固定部材は、前記取付板と前記裏当板に形成している通し穴及び前記木製軒梁に設けられている貫通孔に挿通するボルトと、該ボルトの前記裏当板から突出するねじ部に螺合するナットであることにある。更に又、前記裏当板の屋内側面に補強材を設けたことにある。
【発明の効果】
【００１２】
この発明の庇の垂れ抑制腕木構造によると、腕木に掛る屋根材でもある庇の荷重は、とくに取付板から木製軒梁の屋外側面の下方に多く掛って、年月の経過と共に木製軒梁の下方にめり込みや木痩せが生じるので、前記取付板の屋内側面の下方に押圧部材が当接して前記取付板の下方に作用する荷重がこの押圧部材によって受け止められるために木製軒梁の屋外側面の下方には荷重が集中して掛らなくなり、めり込みや木痩せが発生するのを阻止できる。これによって、腕木に支持されている庇の垂れを抑制できて、建物の外観の見栄えの損失を防ぎ、木製軒梁の耐久性も向上する。又、年月の経過によって庇の垂れが更に生じてきた時は、張り出し調整具により、簡単に調整できる。更に加えて、木製軒梁の屋外側面からの支持材などの突起物がないので、外壁には腕木の通る穴だけを設けるだけでよいので、施工が簡易である。更に、新築の建物のみではなく、既に垂れた庇の補強施工の際にもこの庇の垂れ抑制腕木構造は採用することができる。これによって、めり込みや木痩せがすでに生じている木製軒梁の補強も併せて行うことができる。
【００１３】
前記張り出し調整具の前記押圧部材に作用する荷重は、前記裏当板を屋内側へ移動させるように作用するが、前記腕木本体と前記裏当部材とは前記木製軒梁を挟んで前記締付固定部材によって固定されているために作用した荷重は前記裏当板、前記取付板の全面積から前記木製軒梁の両側面に作用するので、前記木製軒梁の屋外側面の下方部分のみがめり込んだり木痩せすることができなくなる。前記押圧部材を介して前記裏当板に荷重が作用すると、前記裏当板の下方に屋内側への力が作用するので、前記裏当板の屋内側面に裏当板全面に力を分散して作用するように前記補強板を設けるのが望ましい。そして、庇の垂れの角度が気になり出したら押圧部材を回転させて押圧部材を取付板の屋内側面に当てて屋外側へ張り出すようにするだけでよい。
【００１４】
又、前記締付固定部材として、前記腕木本体の前記取付板、前記裏当部材の前記裏当板に設けた通し穴に、前記木製軒梁の貫通孔を通じてボルトを挿通し、前記裏当板から突出した前記ボルトのねじ部にナットを螺合して締め付け固定すると、取付けが簡単でしかも確実に固定することができる。逆に前記ボルトのねじ部は前記取付板から突出させてナットで締め付け固定しても良い。
【００１５】
前記庇の垂れ抑制腕木金具は、前記した庇の垂れ抑制腕木構造に使用する金具である。前記木製軒梁の大きさ、材質や腕木に掛る庇などの屋根材の荷重などによって、前記取付板、前記裏当板の面積や形状を変えることによって、種々の腕木構造に対応することができる。又、この前記庇の垂れ抑制金具を用いることによって、前述したように、前記木製軒梁への前記取付板のめり込みや木痩せを防止できると共に、前記木製軒梁の耐久性も向上する。更に又、この前記庇の垂れ抑制腕木金具は、新築の建物には勿論のこと、既に垂れた庇を新しく取り替える施工の場合にも使用することができる。そして、張り出し調整具によって庇の傾き度合を自在に調整することができるので、建物全体の外観の見栄えを常時良くすることができる。
【図面の簡単な説明】
【００１６】
【図１】庇の垂れ抑制腕木の取付構造の実施形態断面説明図。
【図２】庇の垂れ抑制腕木の取付金具の実施形態の分解斜視説明図。
【図３】同実施形態の要部平面説明図。
【図４】張り出し調整具の実施形態の断面説明図。
【図５】他の実施形態の張り出し調整具の断面説明図。
【発明を実施するための形態】
【００１７】
この発明の庇の垂れ抑制腕木構造１の実施形態について、以下図に基づいて説明する。この庇の垂れ抑制腕木構造１を構成する前記垂れ抑制腕木金具２は、図１、図２に示されるように、木製軒梁３を挟んで木製軒梁３に取付ける腕木本体４と裏当部材５、これら木製軒梁３、腕木本体４、裏当部材５を締付固定する締付固定部材６、及び腕木本体４を木製軒梁３の屋外側面から離反する方向へ押圧する押圧部材７を有する張り出し調整具８を主な構成要素とする。
【００１８】
前記腕木本体４は、軒先方向に延出する庇ユニット９などの屋根材を固定する長尺な腕木１０と、腕木１０の根元となる端部を直角方向に溶接などによって屋外側面に固定している取付板１１を有している。前記腕木１０は、先端が低くなるように緩い傾斜を上方に形成しているがこれに限定されるものではない。腕木１０の固定位置は取付板１１の屋外側面１１ａの中央下方として、庇ユニット９の荷重が取付板１１の中央下方に掛るようにしている。又、この腕木１０の取付位置の両側上方にはそれぞれ縦方向に等間隔で複数の通し穴１２が形成されている。更に、腕木１０にも軒先方向へ延びる部材を固定するための前記通し穴１２が必要個数設けられている。
【００１９】
前記取付板１１の大きさや形状はとくに限定されるものではないが、木製軒梁３の屋外側面に取付けた際に、腕木１０の根元部分を固定している下方側が木製軒梁３の下方からはみ出るようにし、且つ、取付板１１の屋内側面１１ｂが木製軒梁３の屋外側面に対向する位置となるようにすることから、木製軒梁３の高さと略同等か若干長い程度が望ましいが、とくに限定されるものではない。横方向の幅長さもとくに限定されることはないが、取付板１１の面積が大きくなれば、荷重の受け止め面積が大きくなるのでめり込みや木痩せの発生がより少なくなり、他の事情が許されるならば大きい方が望ましい。
【００２０】
前記裏当部材５は、取付板１１に形成した通し穴１２に、対向する位置に通し穴１２を形成した裏当板１３のこの通し穴１２の両側の屋内側面１３ｂに補強板１４を設けてなる。前記裏当板１３の大きさや形状はとくに限定されるものではないが、取付板１１と対をなして木製軒梁３を両側面から挟み締付固定することから、木製軒梁３に当接する長さが同じであることが望ましい。この実施形態では、横幅の小さい裏当板１３を２組使用したが、裏当板１３の横幅を取付板１１と同じ１枚ものの板材であっても良い。
【００２１】
そして、前記張り出し調整具８は、図４によく表れているように、裏当板１３の下方に形成したねじ穴１５に螺合する雄ねじを外周に有するボルトなどからなる押圧部材７であり、この押圧部材７の先端が木製軒梁３の貫通孔１６を通って前記取付板１１の屋内側面１１ｂの下方に当接するようにしている。そして、裏当板１３から突出しているボルト頭７ａをレンチ等で回転させることによって、押圧部材７が取付板１１を屋外方向へと押圧して、取付板１１から木製軒梁３に加わる荷重を抑制する。図４において、ナット１９はボルト７ａとの螺合部分を多くするために裏当板１３の屋内側面１３ｂに固定したナットであり、ナット２０は押圧部材７の緩み防止用のナットである。
【００２２】
又、図５に示すように、裏当板１３にねじ穴１５を形成することに代えて、木製軒梁３に埋設した内周にねじを形成した円筒ねじ１７にボルトなどの押圧部材７と螺合させ、裏当板１３にはこの押圧部材７の通過穴１８を設け、この通過穴１８からの突出部分のボルト頭７ａをレンチ等を用いて回転させて、図４の場合と同じように、押圧部材７の先端の取付板１１への押圧力を操作し張り出し量を調整するようにしてもよい。この実施形態では、木製軒梁３内に形成した貫通孔１６を通したが、これに代えて、図４に示す裏当板１３の下方を延長してその延長した部分にねじ穴１５を形成し木製軒梁３の下方を通って屋外方向へ延出しても良い。この場合には貫通孔１６を通さないことになる。
【００２３】
前記裏当板１３には取付板１１に設けた前記通し穴１２に対応する位置にボルト穴１２が形成されており、締付固定部材６を構成するボルト６ａが取付板１１に形成されている通し穴１２、木製軒梁３の貫通孔１６を通ってこの通し穴１２から突出したねじ部６ｂにナット２１が螺合されて締め付けられることで、腕木本体４、木製軒梁３、裏当部材５が一体的に締付固定される。これによって、腕木１０に掛った前記庇ユニット９の荷重は取付板１１から押圧部材７を介して裏当板１３に伝達されるために、木製軒梁３の屋外側面に掛る荷重圧力は大巾に軽減される。前記裏当板１３にかかる荷重圧力は押圧部材７を介して裏当板１３の下方へ伝達されるので、縦方向に長い補強材１４を裏当板１３の屋内側面に設けることによって裏当板１３の全面に力を分散させるようにしている。又、この補強材１４は、図２によく表れているように、縦方向に並ぶ１列の通し穴１２の両側に設けておけばより補強が効果的である。尚、前記裏当板１３に作用する力は押圧部材７からだけでなく、ボルト６ａを介して取付板１１の上方に作用する屋外側へ引張る力を受け止める役割をも果たしている。
【００２４】
尚、この実施形態においては、締付固定部材６としては、ボルト６ａとナット２１を使用した例について説明したが、これに代えて、腕木本体４の取付板１１と木製軒梁３を挟んだ裏当板１３を木製軒梁３の長手方向と直行する方向にロープなどの長尺締付部材で締付固定してもよい。
【００２５】
上記の前記庇の垂れ抑制腕木金具２を用いて木製軒梁３に取付けた庇の垂れ抑制腕木構造１は図１に示す通りであるが、図１では２つで１組の庇の抑制腕木金具２のみが見えているが、図２に示すように２組を用いて、ここに庇ユニット９の下方の両側を取付け固定する。木製軒梁３に取り付けた内壁２２及び取付板１１の屋外側には少しの隙間を開けて外壁２３が設けられている。外壁２３には腕木１０の根元部分が通過するスリット状の開口部２３ａが形成されており、この開口部２３aと腕木１０の上方に設置されている庇ユニット９などの屋根材との間隙からの雨水浸入を防止するために水切り２４が設けられている。更に、前記腕木１０及びこの腕木１０に設けてある通し穴１２にボルトで固定されている庇ユニット９の骨組みであるＣ型鋼２５の下方には軒裏天井部材２６を取付けるための補助取付材２７が設けられている。更に、前記庇ユニット９の軒先端には樋２８が設けられ、補助取付部材２７の軒先端には化粧板２９が取付られている。
【００２６】
以上の構成からなるこの発明の庇の垂れ抑制腕木構造１によると、経年によって前記庇ユニット９などの屋根材の荷重が取付板１１を介して木製軒梁３を押圧する方向に掛っても、押圧部材７が受け止めて裏当板１３に伝達される。裏当板１３は締付固定部材６によって木製軒梁３及び取付板１１に締付固定されていることから、これらの部材に力が分散されるので、木製軒梁３の特定個所へ力が作用せず、結果として、めり込みや木痩せなどが生じて腕木１０、しいては庇ユニット９などの屋根材の先端が垂れ下ることは生じない。又、張り出し調整具８によって、垂れの度合が増すとその都度調整ができるので、庇などの屋根材を常時適正位置に保つことができ、建物の見栄えをよくすることができる。
【産業上の利用可能性】
【００２７】
この庇の垂れ抑制腕木金具２を用いた庇の垂れ抑制腕木構造１は、新築の建物のみならず庇などの屋根部材が垂れている既設の建物の補修にも適用できるので、応用用途は広く、多くの需要が望めるものである。
【符号の説明】
【００２８】
１  庇の垂れ抑制腕木構造
２  庇の垂れ抑制腕木金具
３  木製軒梁
４  腕木本体
５  裏当部材
６  締付固定部材
６ａ  ボルト
６ｂ  ねじ部
７  押圧部材
８  張り出し調整具
９  庇ユニット
１０  腕木
１１  取付板
１１ａ  屋外側面
１１ｂ  屋内側面
１２  通し穴
１３  裏当板
１３ａ  屋外側面
１３ｂ  屋内側面
１４  補強材
１５  ねじ穴
１６  貫通孔
１７  円筒ねじ
【図１】
2018009429.tif 000003
【図２】
2018009429.tif 000004
【図３】
2018009429.tif 000005
【図４】
2018009429.tif 000006
【図５】
2018009429.tif 000007
【手続補正書】
【提出日】平成29年7月18日(2017.7.18)
【手続補正１】
【補正対象書類名】特許請求の範囲
【補正対象項目名】請求項１
【補正方法】変更
【補正の内容】
【請求項１】
屋外側面に腕木を固定した取付板を有する腕木本体の前記取付板の屋内側面を木製軒梁の屋外面に当接し、
前記取付板の屋内側面に当接する押圧部材を屋外方向へ移動可能とする張出し調整具を設けた裏当板を有する裏当部材の前記裏当板の屋外側面を前記木製軒梁の屋内面側に当接して、
前記腕木本体と前記裏当部材とを前記木製軒梁を挟んで締付固定部材によって締付固定していることを特徴とする庇の垂れ抑制腕木の取付構造。